(57)【要約】【課題】  貯水容器を伸縮できる構成として、縮めることによりコンパクト性を確保でき、伸ばすことにより十分な水量を確保できるようにした水噴射装置を提供する。【解決手段】  水噴射装置１は、一方に水噴射孔９が設けられ、他方に吸水口２２が形成された装置本体２と、装置本体２内に設けられ、吸水口２２から取り込んだ水を水噴射孔９から噴射する水供給手段３０と、装置本体２の他方に着脱可能に連結される貯水容器４０とからなる。貯水容器４０は、連結ケース４１と端末ケース６１とからなる。連結ケース４１は、装置本体２に着脱可能に連結される。端末ケース６１は、連結ケース４１に摺動可能且つ水密に取り付けられる。貯水容器４０は、連結ケース４１に対して端末ケース６１を摺動させることにより伸縮して貯水量が変えられる。【選択図】図１
2017192440.tif 000002
【特許請求の範囲】
【請求項１】
一方に水噴射孔が設けられ、他方に吸水口が形成された装置本体と、
装置本体内に設けられ、吸水口から取り込んだ水を水噴射孔から噴射する水供給手段と、
装置本体の他方に着脱可能に連結され、水を貯留する貯水容器と、からなる水噴射装置において、
前記貯水容器は、
両端が開放された筒状の連結ケースと、
一方端が開放され他方端が底板によって塞がれた有底筒状の端末ケースと、からなり、
前記連結ケースは、一方が装置本体の他方に着脱可能に連結され、
前記端末ケースは、一方端側が前記連結ケースに摺動可能且つ水密に取り付けられ、
前記貯水容器は、前記連結ケースに対して前記端末ケースを摺動させることにより伸縮して貯水量が変えられるようになっていることを特徴とする水噴射装置。
【請求項２】
前記貯水容器は、前記連結ケースと、前記端末ケースと、前記連結ケースと前記端末ケースの間に配置された少なくとも一つの中間ケースとからなり、
前記中間ケースは、一方端側が前記連結ケースに摺動可能且つ水密に取り付けられ、
前記端末ケースは、一方端側が前記中間ケースに摺動可能且つ水密に取り付けられ、
前記貯水容器は、前記中間ケースに対して前記端末ケースを摺動させ、前記連結ケースに対して前記中間ケースを摺動させることにより伸縮して貯水量が変えられるようになっていることを特徴とする請求項１記載の水噴射装置。
【請求項３】
前記装置本体の他端側外周には、前記貯水容器を連結する外側連結部が設けられ、
前記貯水容器は、装置本体を収容できる大きさに形成され、
前記連結ケースの一方側内周には、前記装置本体の外側連結部と着脱可能に連結される内側連結部が設けられており、
貯水容器は、一端側開口から装置本体を収容し、内側連結部を装置本体の外側連結部に連結することにより装置本体を覆うことができることを特徴とする請求項１又は２記載の水噴射装置。
【発明の詳細な説明】
【技術分野】
【０００１】
本願発明は、装置本体の後部に連結された貯水容器から水を吸い上げ、装置本体の前部の水噴射孔から水を噴射する水噴射装置に関する。
【背景技術】
【０００２】
従来、水噴射装置には、携帯用局部洗浄装置が存在する（例えば特許文献１）。携帯用局部洗浄装置は、装置本体の前部にノズルが折り畳み可能に設けられ、装置本体の後端部に注水孔が形成されている。さらに、この携帯用局部洗浄装置は、装置本体内部に電源と、電源によって駆動するモータと、モータによって作動するポンプが設けられている。装置本体の後部には、水を貯留する貯水容器が着脱可能に設けられている。携帯用局部洗浄装置は、電源を入れると、モータが駆動してポンプが作動し、貯水容器内の水を注水孔から取り込み、ノズルの先端に形成された吐出口から排出（吐出）する。なお、貯水容器は、装置本体を被覆できる大きさに形成されており、キャップとしても利用できる。
【０００３】
また、水噴射装置には、携帯用局部洗浄器が存在する（例えば特許文献２）。携帯用局部洗浄器は、本体の前部にノズルが折り畳み可能に設けられ、本体の後端部に通水口が形成されている。さらに、この携帯用局部洗浄器は、本体内部に水供給手段が設けられている。装置本体の後部には、アダプターを介してペットボトルが着脱可能に取り付けられるようになっている。携帯用局部洗浄器は、水供給手段を作動させると、ペットボトル内の水を通水口から取り込み、ノズルの先端に形成された吐出口から排出（吐出）する。
【先行技術文献】
【特許文献】
【０００４】
【特許文献１】特開平９−８４７１５号公報
【特許文献２】特開２００８−２８４０１４号公報
【発明の概要】
【発明が解決しようとする課題】
【０００５】
従来の水噴射装置は、携帯性、収納性、取扱性の点を考慮してコンパクトに設計しなければならないので、貯水容器を大きく形成しておくことができないという問題点があった。従って、噴射する水量に限界があり、貯水容器を装置本体から外して水を入れる作業を繰り返さなければならないという問題点があった。特に、水噴射装置が携帯型衛生洗浄装置である場合、トイレで使用するので、十分な水量が得られず、不快感が残るという問題点があった。そのため、アダプターを介してペットボトル等の別容器を装置本体に連結し、十分な水量を得るようにしたものも存在するが、ペットボトルの着脱が面倒であるという問題点があった。また、店舗、自動販売機がない場合には、ペットボトルの入手が困難であり、使用することができないという問題点があった。
【０００６】
本願発明は、上記問題点に鑑み案出したものであって、貯水容器を伸縮できる構成として、貯水容器の水を蓄える容積を変えることができるようにし、縮めることによりコンパクト性を確保でき、伸ばすことにより十分な水量を確保できるようにした水噴射装置を提供することを第１の目的とする。また、貯水容器を伸縮できる装置本体のキャップとして利用できる水噴射装置を提供することを第２の目的とする。
【課題を解決するための手段】
【０００７】
本願請求項１記載の水噴射装置は、上記第１の目的を達成するため、一方に水噴射孔が設けられ、他方に吸水口が形成された装置本体と、装置本体内に設けられ、吸水口から取り込んだ水を水噴射孔から噴射する水供給手段と、装置本体の他方に着脱可能に連結され、水を貯留する貯水容器と、からなる水噴射装置において、前記貯水容器は、両端が開放された筒状の連結ケースと、一方端が開放され他方端が底板によって塞がれた有底筒状の端末ケースと、からなり、前記連結ケースは、一方が装置本体の他方に着脱可能に連結され、前記端末ケースは、一方端側が前記連結ケースに摺動可能且つ水密に取り付けられ、前記貯水容器は、前記連結ケースに対して前記端末ケースを摺動させることにより伸縮して貯水量が変えられるようになっていることを特徴とする。
【０００８】
本願請求項２記載の水噴射装置は、上記第１の目的を達成するため、前記貯水容器は、前記連結ケースと、前記端末ケースと、前記連結ケースと前記端末ケースの間に配置された少なくとも一つの中間ケースとからなり、前記中間ケースは、一方端側が前記連結ケースに摺動可能且つ水密に取り付けられ、前記端末ケースは、一方端側が前記中間ケースに摺動可能且つ水密に取り付けられ、前記貯水容器は、前記中間ケースに対して前記端末ケースを摺動させ、前記連結ケースに対して前記中間ケースを摺動させることにより伸縮して貯水量が変えられるようになっていることを特徴とする。
【０００９】
本願請求項３記載の水噴射装置は、上記第２の目的を達成するため、前記装置本体の他端側外周には、前記貯水容器を連結する外側連結部が設けられ、前記貯水容器は、装置本体を収容できる大きさに形成され、前記連結ケースの一方側内周には、前記装置本体の外側連結部と着脱可能に連結される内側連結部が設けられており、貯水容器は、一端側開口から装置本体を収容し、内側連結部を装置本体の外側連結部に連結することにより装置本体を覆うことができることを特徴とする。
【発明の効果】
【００１０】
本願発明に係る水噴射装置は、一方に水噴射孔が設けられ、他方に吸水口が形成された装置本体と、装置本体内に設けられ、吸水口から取り込んだ水を水噴射孔から噴射する水供給手段と、装置本体の他方に着脱可能に連結され、水を貯留する貯水容器とからなる。前記貯水容器は、両端が開放された筒状の連結ケースと、一方端が開放され他方端が底板によって塞がれた有底筒状の端末ケースとからなる。前記連結ケースは、一方が装置本体の他方に着脱可能に連結される。前記端末ケースは、一方端側が前記連結ケースに摺動可能且つ水密に取り付けられる。前記貯水容器は、前記連結ケースに対して前記端末ケースを摺動させることにより伸縮して貯水量が変えられるようになっている。
【００１１】
本願発明に係る水噴射装置は、装置本体の他方に水を貯留する貯水容器を着脱可能に連結し、水供給手段を作動すると、他方の吸水口から取り込んだ水を一方の水噴射孔から噴射する。本願発明に係る水噴射装置は、連結ケースに対して端末ケースを摺動させることにより貯水容器を伸縮させて貯水容器の貯水量を変えることができ、使用状況に応じた水量を確実に確保することができるという効果がある。即ち、必要な水量が少ない場合は、貯水容器を縮めて水を蓄える容積を小さくして貯水量を少なくし、必要な水量が多い場合は、貯水容器を伸ばして水を蓄える容積を大きくして貯水量を多めにすることができる。
【００１２】
本願発明に係る水噴射装置は、前記貯水容器が、前記連結ケースと、前記端末ケースと、前記連結ケースと前記端末ケースの間に配置された少なくとも一つの中間ケースとからなる。前記中間ケースは、一方端側が前記連結ケースに摺動可能且つ水密に取り付けられる。前記端末ケースは、一方端側が前記中間ケースに摺動可能且つ水密に取り付けられる。前記貯水容器は、前記中間ケースに対して前記端末ケースを摺動させ、前記連結ケースに対して前記中間ケースを摺動させることにより伸縮して貯水量が変えられるようになっている。
【００１３】
本願発明に係る水噴射装置は、貯水容器が、連結ケースと、端末ケースと、少なくとも一つの中間ケースとからなり、中間ケースに対して端末ケースを摺動させ、連結ケースに対して中間ケースを摺動させることにより貯水容器を伸縮させて貯水容器の貯水量を変えることができ、使用状況に応じた水量を確実に確保することができるという効果がある。本願発明に係る水噴射装置は、貯水容器が少なくとも３つの部品で構成されているので、縮めるとコンパクトになり、伸ばすと容積が格段と大きくなって貯水量を大幅に増大させることができるという効果がある。
【００１４】
本願発明に係る水噴射装置は、前記装置本体の他端側外周に、前記貯水容器を連結する外側連結部が設けられている。前記貯水容器は、装置本体を収容できる大きさに形成されている。前記連結ケースの一方側内周には、前記装置本体の外側連結部と着脱可能に連結される内側連結部が設けられている。貯水容器は、一端側開口から装置本体を収容し、内側連結部を装置本体の外側連結部に連結することにより装置本体を覆うことができる。
【００１５】
本願発明に係る水噴射装置は、貯水容器を装置本体のキャップとすることができ、バック等の収容装置内で水噴射孔から漏れた水が他の収容物を濡らしてしまうことを防止することができるという効果がある。また、貯水容器が伸縮する構造なので、装置本体の長さに合わせて調節することができるという効果がある。即ち、折り畳み式ノズルを備えた装置本体を収納する場合、ノズルが折り畳まれている時には貯水容器を縮めた状態で被着させることができ、ノズルが引き出されている時には貯水容器を伸ばした状態で被着させることができる。
【図面の簡単な説明】
【００１６】
【図１】本願発明に係る水噴射装置の一つの実施の形態を示す全体斜視図である。
【図２】図１の水噴射装置の正面図である。
【図３】図１の水噴射装置の正面断面図である。
【図４】図１の水噴射装置の側面断面図である。
【図５】図１の水噴射装置の貯水容器を引き伸ばした正面図である。
【図６】図１の水噴射装置の一部を外した正面図である。
【図７】図１の水噴射装置の装置本体の斜視図である。
【図８】図７の装置本体の一部を外した斜視図である。
【図９】図７の装置本体の一部を外した正面図である。
【図１０】図９の装置本体の斜視図である。
【図１１】図７の装置本体の蓋部材の一方から視た斜視図である。
【図１２】図１１の蓋部材の他方から視た斜視図である。
【図１３】図１の水噴射装置の貯水容器の前方から視た斜視図である。
【図１４】図１３の貯水容器の後方から視た斜視図である。
【図１５】図１３の貯水容器の分解斜視図である。
【図１６】図１の水噴射装置の別の使用方法を説明する斜視図である。
【図１７】図１の水噴射装置の別の使用方法を説明する正面図である。
【図１８】図１の水噴射装置をコンパクトにした斜視図である。
【図１９】図１の水噴射装置のコンパクトにした正面図である。
【図２０】図１の水噴射装置の他の形態を説明する正面図である。
【図２１】図１の水噴射装置の他の形態を説明する正面図である。
【発明を実施するための形態】
【００１７】
水噴射装置の概要について説明する。水噴射装置１は、図１６に示すように、一方５に水噴射孔９が設けられ、他方１０に吸水口２２が形成された装置本体２と、図３，４に示すように、装置本体２内に設けられ、吸水口２２から取り込んだ水を水噴射孔９から噴射する水供給手段３０と、図１に示すように、装置本体２の他方１０に着脱可能に連結され、水を貯留する貯水容器４０とからなる。前記貯水容器４０は、図１５に示すように、両端４６，４４が開放された筒状の連結ケース４１と、一方端６２が開放され他方端６３が底板６６によって塞がれた有底筒状の端末ケース６１とからなる。前記連結ケース４１は、一方４６が装置本体２の他方１０に着脱可能に連結される。前記端末ケース６１は、一方端６２側が前記連結ケース４１に摺動可能且つ水密に取り付けられる。前記貯水容器４０は、前記連結ケース４１に対して前記端末ケース６１を摺動させることにより伸縮して貯水量が変えられるようになっている。
【００１８】
水噴射装置１は、装置本体２の他方１０に水を貯留する貯水容器４０を着脱可能に連結し、水供給手段３０を作動すると、他方１０の吸水口２２から取り込んだ水を一方５の水噴射孔９から噴射する。水噴射装置１は、連結ケース４１に対して端末ケース６１を摺動させることにより貯水容器４０を伸縮させて貯水容器４０の貯水量を変えることができ、使用状況に応じた水量を確実に確保することができる。即ち、必要な水量が少ない場合は、貯水容器４０を縮めて水を蓄える容積を小さくして貯水量を少なくし、必要な水量が多い場合は、貯水容器４０を伸ばして水を蓄える容積を大きくして貯水量を多めにすることができる。
【００１９】
水噴射装置１は、図２０に示すように、前記貯水容器４０が、前記連結ケース４１と、前記端末ケース６１と、前記連結ケース４１と前記端末ケース６１の間に配置された少なくとも一つの中間ケース７１とからなるようにしても良い。前記中間ケース７１は、一方端７２側が前記連結ケース４１に摺動可能且つ水密に取り付けられる。前記端末ケース６１は、一方端６２側が前記中間ケース７１に摺動可能且つ水密に取り付けられる。前記貯水容器４０は、前記中間ケース７１に対して前記端末ケース６１を摺動させ、前記連結ケース４１に対して前記中間ケース７１を摺動させることにより伸縮して貯水量が変えられるようになっている。
【００２０】
水噴射装置１は、貯水容器４０が、連結ケース４１と、端末ケース６１と、少なくとも一つの中間ケース７１とからなり、中間ケース７１に対して端末ケース６１を摺動させ、連結ケース４１に対して中間ケース７１を摺動させることにより貯水容器４０を伸縮させて貯水容器４０の貯水量を変えることができ、使用状況に応じた水量を確実に確保することができる。水噴射装置１は、貯水容器４０が少なくとも３つの部品で構成されているので、縮めるとコンパクトになり、伸ばすと容積が格段と大きくなって貯水量を大幅に増大させることができる。
【００２１】
水噴射装置１は、図１６，１７に示すように、前記装置本体２の他端側外周に、前記貯水容器４０を連結する外側連結部１７が設けられている。前記貯水容器４０は、装置本体２を収容できる大きさに形成されている。前記連結ケース４１の一方４６側内周には、前記装置本体２の外側連結部１７と着脱可能に連結される内側連結部４７が設けられている。貯水容器４０は、図１８，１９に示すように、一端側開口４６から装置本体２を収容し、内側連結部４７を装置本体２の外側連結部１７に連結することにより装置本体２を覆うことができる。
【００２２】
水噴射装置１は、貯水容器４０を装置本体２のキャップとすることができ、バック等の収容装置内で水噴射孔９から漏れた水が他の収容物を濡らしてしまうことを防止することができる。また、貯水容器４０が伸縮する構造なので、装置本体２の長さに合わせて調節することができる。即ち、折り畳み式ノズル８を備えた装置本体２を収納する場合、ノズル８が折り畳まれている時には貯水容器４０を縮めた状態で被着させることができ、ノズル８が引き出されている時には貯水容器４０を伸ばした状態で被着させることができる。
【００２３】
水噴射装置１は、図５，６に示すように、前記貯水容器４０が、連結ケース４１及び端末ケース６１の内の少なくとも一方に目盛り６８が形成され、連結ケース４１に対して端末ケース６１を摺動させた位置の目盛りを読み取り、貯水量を確認することができる。水噴射装置１は、前記貯水容器４０が、連結ケース４１及び端末ケース６１の内の少なくとも一方に目盛り６８が形成されているので、連結ケース４１に対して端末ケース６１を摺動させた際、一目で正確に貯水容器４０の伸縮量及び貯水量を確認することができる。
【００２４】
水噴射装置１は、図２１に示すように、前記貯水容器４０が、透過性を有する有色素材で形成され、連結ケース４１に対して端末ケース６１を摺動させることにより、連結ケース４１と端末ケース６１の重なり合う色６９の変化量により貯水量を確認できる。水噴射装置１は、連結ケース４１と端末ケース６１の重なり部分の色６９が濃くなるため、貯水容器４０が縮まっている場合は、濃い色が多くなっており、貯水容器４０が伸びている場合は、濃い色が少なくなっている。このように、水噴射装置１は、連結ケース４１と端末ケース６１の重なり合う色６９の変化量により、一目で貯水容器４０の伸縮量及び貯水量を確認することができる。また、水噴射装置１は、連結ケース４１と端末ケース６１の素材の色を変えておくと、重なり合う部分の色６９が連結ケース４１及び端末ケース６１と異なる色になる。この重なり合う部分の色６９の範囲（変化量）を視るだけで、貯水容器４０の貯水量（容積）を簡単に確認することができる。
【００２５】
以下、水噴射装置１について詳細に説明する。水噴射装置１は、携帯用衛生洗浄装置であって、トイレ内で用を足した後に、臀部等の局部に向かって水を噴射させ、当該局部を洗浄するものである。図１乃至４に示すように、水噴射装置１は、装置本体２と、装置本体２に着脱可能に取り付けられる貯水容器４０とからなる。
【００２６】
装置本体２は、内部に収容空間が形成された略円筒形状のケース３と、ケース３の前部３ａ開放部に取り付けられた半球体形状の前部蓋部材５と、ケース３の後部３ｂ開放部に取り付けられた円板状の後部蓋部材１０とで構成されている。装置本体２は、ケース３と、ケース３の前部３ａ開放部を塞ぐ前部蓋部材５と、ケース３の後部３ｂ開放部を塞ぐ後部蓋部材１０とで、内部の収容空間の水密性が保持されている。
【００２７】
装置本体２のケース３及び前部蓋部材５には、外周面の長手方向に向かって略コ字状の収納溝７が形成されている。当該収納溝７内には、ノズル８が設けられている。ノズル８は、後部８ａが装置本体２の前部蓋部材５に回動可能に取り付けられ、先部８ｂに複数の水噴射孔９が形成されている（図８参照）。
【００２８】
後部蓋部材１０は、図１１，１２に示すように、円形状の底壁１１と、底壁１１の周囲に形成された周壁１２を有する。周壁１２の開放端１３側内周面には、内側係止突起１５が環状に形成されている。後部蓋部材１０は、ケース３の後部３ｂ開放部側から被着し、前記内側係止突起１５を、図９，１０に示す、ケース３の後部３ｂ外周面に環状に形成された係止凹部３ｃに係止させて取り付けられる（図７参照）。
【００２９】
図１１，１２に示すように、後部蓋部材１０の周壁１２の外周面１６には、第１の外側係止突起１８と、第２の外側係止突起１７が形成されている。第１の外側係止突起１８は底壁１１側に形成され、第２の外側係止突起１７は周壁１２の開放端１３側に形成されている。第１の外側係止突起１８と底壁１１の間の周壁１２の外周面には、円周方向に溝１９が形成され、当該溝１９にパッキン２１が設けられる（図３，４参照）。第１の外側係止突起１８と第２の外側係止突起１７の間の外周面には、連結突起１４が形成されている。連結突起１４には孔１４ａが形成され、この孔１４ａを利用してアクセサリー等を引っ掛けることができる。後部蓋部材１０の底壁１１には、吸水口２２が形成されている。なお、底壁１１の略中央には、電池を出し入れするための電源開口２３が形成され、図１６に示すよう、電源開口２３が閉塞蓋２５によって水密に閉じられている。
【００３０】
装置本体２内には、図８に示すように、水供給手段３０が設けられている。水供給手段３０は、図３，４に示すように、電動モータ３１と、電動モータ３１に電気を供給する電池３２と、電動モータ３１の動力によって作動するポンプ３３とからなる。水供給手段３０には、吸水部と排水部を有し、給水部が前記吸水口２２に接続され、排水部が前記ノズル８に接続されている。また、水供給手段３０は、電動モータ３１をオン・オフするスイッチ３５を有する。このスイッチ３５は、ケース３の側面に設けられている。
【００３１】
貯水容器４０は、水を貯留する容器であって、図１，２に示すように、装置本体２の後部蓋部材１０に着脱可能に連結される。貯水容器４０は、図１５に示すように、両端が開放された筒状の連結ケース４１と、後端６３が底板６６によって塞がれ前端６２が開放された有底筒状の端末ケース６１とからなる。連結ケース４１は、前部円筒部４２と後部円筒部４３が段部４５によって接続された形状で一体成形されている。前部円筒部４２は、後部円筒部４３より大径となっており、一方に開放部４６が形成され、他方に段部４５を介して後部円筒部４３が連結されている。後部円筒部４３は、一方に段部４５を介して前部円筒部４２が連結され、他方に開放部４４が形成されている。
【００３２】
前部円筒部４２の開放部４６側内周面には、前記後部蓋部材の第１の外側係止突起１８又は第２の外側係止突起１７に係止される略Ｌ字状の係止溝４７が形成されている。前部円筒部４２の係止溝４７が後部蓋部材１０の第１の外側係止突起１８に係止されると、後部蓋部材１０に設けられたパッキン２１が前部円筒部４２の内周面に圧接し、水密性が確保される（図３，４参照）。
【００３３】
後部円筒部４３は、図６に示すように、段部４５側の前部に第１の係止凹部４８が形成され、開放部４４側の後部に第２の係止凹部４９が形成されている。第１の係止凹部４８及び第２の係止凹部４９は、後部円筒部４３の外周面円周方向に突設された突条によって、後部円筒部４３の外周面の円周方向に環状に形成されている。また、後部円筒部４３の第２の係止凹部４９と開放部４４との間であって、外周面円周方向には溝５０が形成され、当該溝５０にパッキン５１が設けられる（図３，４参照）。
【００３４】
後部円筒部４３には、図１５に示すように、端末ケース６１が摺動可能に取り付けられている。端末ケース６１は、有底筒状に構成され、前端６２及び後端６３が開放された筒状の円筒体６１ａと、円筒体６１ａの後端６３に取り付けられた底板６６とからなる。底板６６は、円筒体６１ａの後端６３開放部を水密に塞ぐ。底板６６は、矩形状、多角形状、菱形形状に形成され、回転し難い形状になっている。底板６６の一方の面には、円筒体６１ａの後端６３開口に嵌着される環状の嵌合縁６７が形成されている。底板６６は、嵌合縁６７が後端６３開口に圧入、螺着又は接着により、円筒体６１ａに水密に取り付けられ、端末ケース６１を構成する。端末ケース６１は、図１５に示すように、円筒体６１ａの前端６２内周面に係止爪６５が形成されている。端末ケース６１は、筒状の円筒体６１ａと底板６６との２部品からなり、底板６６が円筒体６１ａに圧入、螺着又は接着により固定して取り付けられるが、円筒体６１ａと底板６６を合成樹脂素材の一体成形により１部品で形成しても構わない。
【００３５】
端末ケース６１は、連結ケース４１の後部円筒部４３に摺動可能に取り付けられ、前記係止爪６５が後部円筒部４３の第１の係止凹部４８又は第２の係止凹部４９に係止される。端末ケース６１は、内周面が後部円筒部４３のパッキン５１に摺接し、水密性が確保される。このように、貯水容器４０は、連結ケース４１と端末ケース６１とからなり、連結ケース４１に対して端末ケース６１が摺動させることにより伸縮し、容積を変動させ、蓄える貯水量を変化させることができる。このように、貯水容器４０は、連結ケース４１に対して端末ケース６１を摺動させ、水を収容する容積を変動させ、所望する貯水量を確保することができる。
【００３６】
なお、図５，６に示すように、貯水容器４０の連結ケース４１の後部円筒部４３に、長手方向に向かって目盛り６８を形成しても良い。連結ケース４１の後部円筒部４３に対して摺動する端末ケース６１の前端６２を目盛り６８に合わせることにより、貯水容器４０に収容する水量を調整することができる。また、水噴射装置１は、連結ケース４１に形成された目盛り６８を端末ケース６１の前端６２の位置で読み取ることにより、貯水容器４０の貯水量（容積）を一目で確認することができる。
【００３７】
また、図２１に示すように、貯水容器４０は、透過性を有する有色素材で成形すると、連結ケース４１と端末ケース６１の重なり合う部分の色６９が濃くなる。この濃い色６９の部分が広い場合は、貯水容器４０の貯水量が少なくなっており、この濃い色６９の部分が狭い場合は、貯水容器４０の貯水量が多くなっている。このように、連結ケース４１と端末ケース６１の重なり合う色６９の範囲（変化量）を視るだけで、貯水容器４０の貯水量（容積）を簡単に確認することができる。さらにまた、連結ケース４１と端末ケース６１の素材の色を変えておくと、重なり合う部分の色６９が連結ケース４１及び端末ケース６１と異なる色になる。この重なり合う部分の色６９の範囲（変化量）を視るだけで、貯水容器４０の貯水量（容積）を簡単に確認することができる。
【００３８】
貯水容器４０は、端末ケース６１を摺動させ、係止爪６５を連結ケース４１の第１の係止凹部４８に係止させると、縮んでいるので少なめの水を収容することができる。また、貯水容器４０は、端末ケース６１を摺動させ、係止爪６５を連結ケース４１の第２の係止凹部４９に係止させると、伸びているので多めの水を収容することができる。連結ケース４１の係止凹部４８，４８は、連結ケース４１に対して端末ケース６１を確実に位置決めするためのものであり、２カ所に設けたが、３カ所以上に形成しても構わないのは勿論である。また、係止凹部を設けない場合であっても、連結ケース４１と端末ケース６１の接触による摩擦抵抗により、位置決めを行うことができる。
【００３９】
水噴射装置１は、上記構成を有し、次のように使用することができる。貯水容器４０に水を入れる。貯水容器４０は、前述したように伸縮することができるので、適宜伸縮させて長さを決定し、所望する容積を確保する。このようにして伸縮させた貯水容器４０に水を蓄える。図２又は図５に示すように、貯水容器４０を装置本体２に連結する。貯水容器４０の係止溝４７を装置本体２の第１の外側係止突起１８に係止させることにより、貯水容器４０が装置本体２に水密に接続される。
【００４０】
スイッチ３５をオンにすると、電動モータ３１が駆動してポンプ３３が作動し、貯水容器４０の水が吸水口２２から吸い込まれポンプ３３を介してノズル８の水噴射孔９から噴射される。なお、ノズル８は、図面では、装置本体２の収納溝７に収納されているが、水を噴射する際は、収納溝７からノズル８を起こして、水噴射孔９を、水を当てる部位に向けて使用することは当然である。使用後、スイッチ３５をオフにすると、電動モータ３１及びポンプ３３が停止して水噴射孔９から噴射しなくなる。ノズル８を倒して装置本体２の収納溝７に収納する。
【００４１】
貯水容器４０は、係止溝４７を装置本体２の第１の外側係止突起１８から外して係止を解除させて、装置本体２から簡単に外すことができる。図１６に示すように、貯水容器４０は、これを縮め、開放部４３側から装置本体２を収容し、これの係止溝４７を装置本体２の第２の外側係止突起１７に係止させることにより、装置本体２に接続される。貯水容器４０は、装置本体２を内部に収納するので、装置本体２を覆うキャップ部材として利用できる。貯水容器４０は、伸縮するので、装置本体２の長さに合わせてサイズを調整することができる。貯水容器４０を装置本体２に係止させる突起は、第１の外側係止突起１８と第２の外側係止突起１７の２種類が存在するが、第１の外側係止突起１８と第２の外側係止突起１７の間に連結突起１４が形成されているからであり、第１の外側係止突起１８と第２の外側係止突起１７のどちらか一方だけであっても接続できる。水噴射装置１は、貯水容器４０の底板６６が矩形状に形成されているので、平坦な面に横に置いても回転することがなく、安定して載置しておくことができる。
【００４２】
貯水容器４０は、連結ケース４１と端末ケース５１の２部品構成で説明したが、３部品以上の構成であっても構わない。即ち、図２０に示すように、貯水容器４０が、前記連結ケース４１と、前記端末ケース６１と、前記連結ケース４１と前記端末ケース６１の間に配置された少なくとも一つの中間ケース７１とからなる。中間ケース７１は、一方端７２側が前記連結ケース４１に摺動可能且つ水密に取り付けられる。端末ケース６１は、前端６２側が前記中間ケース７１に摺動可能且つ水密に取り付けられる。この貯水容器４０は、中間ケース７１に対して端末ケース６１を摺動させ、連結ケース４１に対して中間ケース７１を摺動させることにより伸縮して貯水量が変えられるようになっている。
【産業上の利用可能性】
【００４３】
本願発明は、装置本体の後部に連結された貯水容器から水を吸い上げ、装置本体の前部の水噴射孔から水を噴射し、局部を洗浄する携帯用局部洗浄装置に利用可能である。
【符号の説明】
【００４４】
１  水噴射装置
２  装置本体
３  ケース
３ａ  前部
３ｂ  後部
３ｃ  係止凹部
５  前部蓋部材（一方）
７  収納溝
８  ノズル
８ａ  後部
８ｂ  先部
９  水噴射孔
１０  後部蓋部材（他方）
１１  底壁
１２  周壁
１３  開放端
１４  連結突起
１４ａ  孔
１５  内側係止突起
１６  外周面
１７  第２の外側係止突起（外側連結部）
１８  第１の外側係止突起
１９  溝
２１  パッキン
２２  吸水口
２３  電源開口
２５  閉塞蓋
３０  水供給手段
３１  電動モータ
３２  電池
３３  ポンプ
３５  スイッチ
４０  貯水容器
４１  連結ケース
４２  前部円筒部
４３  後部円筒部
４４  開放部（他方）
４５  段部
４６  開放部（一方）
４７  係止溝（内側連結部）
４８  第１の係止凹部
４９  第２の係止凹部
５０  溝
５１  パッキン
６１  端末ケース
６１ａ  円筒体
６２  前端（一方端）
６３  後端（他方端）
６５  係止爪
６６  底板
６７  嵌合縁
６８  目盛り
６９  重なり合う色
７１  中間ケース
７２  一方端
【図１】
2017192440.tif 000003
【図２】
2017192440.tif 000004
【図３】
2017192440.tif 000005
【図４】
2017192440.tif 000006
【図５】
2017192440.tif 000007
【図６】
2017192440.tif 000008
【図７】
2017192440.tif 000009
【図８】
2017192440.tif 000010
【図９】
2017192440.tif 000011
【図１０】
2017192440.tif 000012
【図１１】
2017192440.tif 000013
【図１２】
2017192440.tif 000014
【図１３】
2017192440.tif 000015
【図１４】
2017192440.tif 000016
【図１５】
2017192440.tif 000017
【図１６】
2017192440.tif 000018
【図１７】
2017192440.tif 000019
【図１８】
2017192440.tif 000020
【図１９】
2017192440.tif 000021
【図２０】
2017192440.tif 000022
【図２１】
2017192440.tif 000023